(57)【特許請求の範囲】
【請求項１】
前面パネルに風路の開口部が形成された筐体と、
複数の縦桟及び複数の横桟を組み合わせて構成され、前記開口部を覆うファンガードと、を備え、
前記ファンガードは、
前記縦桟のうち中央部の一箇所、又は前記筐体の左右方向に離れて位置する少なくとも２本の前記縦桟の上側端部に形成された上部係止部と、
前記筐体の左右方向に離れて位置する複数の前記縦桟の下側端部に形成された下部係止部と、を備え、
前記上部係止部は、
前記上側端部が前記筐体側に屈曲され下方向に傾斜して形成され、
前記下部係止部は、
前記下側端部が前記筐体側に屈曲されて形成され、
前記下部係止部の先端側の部分である下部係止部先端部は、
先端が下方向を向くように屈曲され、
前記前面パネルは、
前記上部係止部が挿入され、前記ファンガードの前方向への移動を規制する上部仮固定穴と、
前記下部係止部が挿入され、前記ファンガードの前方向及び下方向への移動を規制する下部仮固定穴と、を備え、
前記上部仮固定穴は、
前記筐体の前方を向いて開口され、縁部に前記筐体の前面から前記筐体の内部に向かって立設する筒部を有する、空気調和装置の室外機。
【請求項２】
前記上部仮固定穴は、
前記前面パネルの表面から前記筒部を接続する曲面を有する、請求項１に記載の空気調和装置の室外機。
【請求項３】
前記下部仮固定穴は、
上方に向かって開口されている、請求項１又は２に記載の空気調和装置の室外機。
【請求項４】
前記下部仮固定穴は、
前記前面パネルにおいて、下側に位置する下側縁部が上側に位置する上側縁部よりも前記筐体の前側にある、請求項１又は２に記載の空気調和装置の室外機。
【請求項５】
前面パネルに風路の開口部が形成された筐体と、
複数の縦桟及び複数の横桟を組み合わせて構成され、前記開口部を覆うファンガードと、を備え、
前記ファンガードは、
前記縦桟のうち中央部の一箇所、又は前記筐体の左右方向に離れて位置する少なくとも２本の前記縦桟の上側端部に形成された上部係止部と、
前記筐体の左右方向に離れて位置する複数の前記縦桟の下側端部に形成された下部係止部と、を備え、
前記上部係止部は、
前記上側端部が前記筐体側に屈曲され下方向に傾斜して形成され、
前記下部係止部は、
前記下側端部が前記筐体側に屈曲されて形成され、
前記下部係止部の先端側の部分である下部係止部先端部は、
先端が下方向を向くように屈曲され、
前記前面パネルは、
前記上部係止部が挿入され、前記ファンガードの前方向への移動を規制する上部仮固定穴と、
前記下部係止部が挿入され、前記ファンガードの前方向及び下方向への移動を規制する下部仮固定穴と、を備え、
前記下部仮固定穴は、
前記前面パネルにおいて、下側に位置する下側縁部が上側に位置する上側縁部よりも前記筐体の前側にある、空気調和装置の室外機。
【請求項６】
前記ファンガードは、
上部に固定するためのボルトを挿通するボルト挿通部を有し、
前記前面パネルは、
前記ボルトが螺合するボルト穴を有する、請求項１〜５の何れか１項に記載の空気調和装置の室外機。
【請求項７】
前記下部係止部が形成されていない前記縦桟の前記下側端部に、前記前面パネルの表面に当接する当接部を備え、
前記下部係止部先端部は、
前記下部仮固定穴の前記筐体の前方側の部分に当接し、前記当接部との間で対向する力を前記ファンガードに付与する、請求項１〜６の何れか１項に記載の空気調和装置の室外機。
【請求項８】
前記ファンガードは、
表面に被膜が形成され、
前記上部係止部の先端は、
前記被膜に覆われて曲面が形成されている、請求項１〜７の何れか１項に記載の空気調和装置の室外機。
【請求項９】
前面パネルに風路の開口部が形成された筐体と、
複数の縦桟及び複数の横桟を組み合わせて構成され、前記開口部を覆うファンガードと、を備え、
前記ファンガードは、
前記縦桟のうち中央部の一箇所、又は前記筐体の左右方向に離れて位置する少なくとも２本の前記縦桟の上側端部に形成された上部係止部と、
前記筐体の左右方向に離れて位置する複数の前記縦桟の下側端部に形成された下部係止部と、を備え、
表面に被膜が形成され、
前記上部係止部は、
前記上側端部が前記筐体側に屈曲され下方向に傾斜して形成され、
前記下部係止部は、
前記下側端部が前記筐体側に屈曲されて形成され、
前記下部係止部の先端側の部分である下部係止部先端部は、
先端が下方向を向くように屈曲され、
前記前面パネルは、
前記上部係止部が挿入され、前記ファンガードの前方向への移動を規制する上部仮固定穴と、
前記下部係止部が挿入され、前記ファンガードの前方向及び下方向への移動を規制する下部仮固定穴と、を備え、
前記上部係止部の先端は、
前記被膜に覆われて曲面が形成されている、空気調和装置の室外機。
【発明の詳細な説明】
【技術分野】
【０００１】
本発明は、空気調和装置の室外機に関し、特に送風用風路の吹き出し開口部に設けられるファンガードの固定構造に関する。
【背景技術】
【０００２】
従来、送風用風路の吹き出し開口部を覆うファンガードを有する空気調和装置の室外機が開示されている（例えば特許文献１を参照）。ファンガードを設けることにより、例えばユーザーが吹き出し開口部から回転するファンに触れないようにしている。【０００３】
特許文献１によれば、室外機は、「開口部が形成された前面パネルと、第１突起を有し、前記前面パネルのうち前記開口部の上部で取り付けられるひさしと、前記前面パネルに取り付けられるファンガードと、を備え、前記ひさしが前記前面パネルに取り付けられた状態で、前記第１突起は、前記ファンガードの一部と係合して前記ファンガードの下方への移動を規制」している。さらに、「前記ひさしは、前方に突出する第２突起を有し」、「前記第２突起が前記ファンガードと当接して前方に向かう圧力が前記ファンガードに付与された状態で、前記ファンガードが前記前面パネルに取り付け」られている。ファンガードの固定は、ファンガードの上部にもうけられた横桟をひさしの第１突起に引っ掛け、ファンガードの下部に設けられたボルト挿入孔にボルトを通して前面パネルにボルトを締結させることにより行っていた。
【先行技術文献】
【特許文献】
【０００４】
【特許文献１】特開２０１５−３４６５９号公報（第２図）
【発明の概要】
【発明が解決しようとする課題】
【０００５】
しかし、特許文献１の室外機は、ファンガードをボルト固定する前の仮固定をするために、ファンガードの上部の縦桟の先端を前面パネルの仮固定穴に差し込み、ファンガードが前方に動かないように抑えつつ、ファンガードの上部に設けられた横桟をひさしに設けられた第１突起に引っ掛け、ファンガードが下方に動かないように仮固定している。つまり、ファンガードの仮固定のためにひさしのような別部品が必要となっている。そのために、別部品を取り付ける工程が必要となり、組み立て工程が増加するという課題があった。また、ファンガードの上部の縦桟の先端は上方に伸びており、仮固定穴に下方から挿入される構造であり、ファンガードの横桟は上方から第１突起に引っ掛ける構造であるため、仮固定の作業も困難であるという課題があった。【０００６】
また、ファンガードを仮固定した後に、ボルト締結をする必要がある。特許文献１の室外機は、ファンガードの下部にボルト挿入穴が設けられているため、ボルト固定位置が室外機の下部に位置している。このため、ボルト締結作業をする際に、作業者が腰をかがめて作業しないとネジ穴が視認できず、作業性が悪いという課題があった。【０００７】
本発明は、以上のような課題を解決するためになされたもので、ファンガードを室外機本体に仮固定する作業を容易にし、また、ファンガードを室外機本体にボルト固定する際の作業性を向上させる空気調和装置の室外機を提供することを目的とする。
【課題を解決するための手段】
【０００８】
本発明に係る空気調和装置の室外機は、前面パネルに風路の開口部が形成された筐体と、複数の縦桟及び複数の横桟を組み合わせて構成され、前記開口部を覆うファンガードと、を備え、前記ファンガードは、前記縦桟のうち中央部の一箇所、又は前記筐体の左右方向に離れて位置する少なくとも２本の前記縦桟の上側端部に形成された上部係止部と、前記筐体の左右方向に離れて位置する複数の前記縦桟の下側端部に形成された下部係止部と、を備え、前記上部係止部は、前記上側端部が前記筐体側に屈曲され下方向に傾斜して形成され、前記下部係止部は、前記下側端部が前記筐体側に屈曲されて形成され、前記下部係止部の先端側の部分である下部係止部先端部は、先端が下方向を向くように屈曲され、前記前面パネルは、前記上部係止部が挿入され、前記ファンガードの前方向への移動を規制する上部仮固定穴と、前記下部係止部が挿入され、前記ファンガードの前方向及び下方向への移動を規制する下部仮固定穴と、を備え、前記上部仮固定穴は、前記筐体の前方を向いて開口され、縁部に前記筐体の前面から前記筐体の内部に向かって立設する筒部を有する。
【発明の効果】
【０００９】
本発明に係る空気調和装置の室外機によれば、上記構成により、ファンガードの下部係止部を筐体の下部仮固定穴に挿入してから上部係止部を上部仮固定穴に挿入し仮固定することができるため、作業も容易でファンガードを安定させて筐体に仮固定することができる。また、下部係止部が筐体の下部仮固定穴に挿入されて固定されていることから、ファンガードのボルト固定位置も筐体の下部ではなく、例えば筐体の上部などの作業し易い位置に設置することができる。
【図面の簡単な説明】
【００１０】
【図１】本発明の実施の形態１に係る空気調和装置の室外機の斜視図である。
【図２】図１に示す室外機のファンガードを取り外した状態の斜視図である。
【図３】図１のファンの中心軸を含む縦断面を示す説明図である。
【図４】図２のＡ部の拡大図である。
【図５】図２のＢ部の拡大図である。
【図６】図１のファンガードを示す斜視図である。
【図７】本発明の実施の形態１に係る室外機のファンガードの下部係止部周辺の拡大図である。
【図８】図７のＣ−Ｃ断面を示す説明図である。
【図９】本発明の実施の形態１に係る室外機のファンガードの上部係止部周辺の拡大図である。
【図１０】図９のＤ−Ｄ断面を示す説明図である。
【発明を実施するための形態】
【００１１】
実施の形態１．
以下に、本発明に係る空気調和装置の室外機１００の実施の形態について説明する。なお、図面の形態は一例であり、本発明を限定するものではない。また、各図において同一の符号を付したものは、同一のまたはこれに相当するものであり、これは明細書の全文において共通している。さらに、以下の図面では各構成部材の大きさの関係が実際のものとは異なる場合がある。
【００１２】
＜室外機１００の全体構成＞
図１は、本発明の実施の形態１に係る空気調和装置の室外機１００の斜視図である。図２は、図１に示す室外機１００のファンガード５を取り外した状態の斜視図である。図３は、図１のファンの中心軸を含む縦断面を示す説明図である。
【００１３】
室外機１００は、例えば、略直方体の筐体１０を有するものである。すなわち、室外機１００は、図１に示すように、室外機１００の筐体１０の前面側を構成する前面パネル１と、筐体１０の側面側を構成する側面パネル２と、筐体１０の天面側を構成する天面パネル３とを備える。また、室外機１００は、筐体１０の背面側、及び側面パネル２と対向する側の側面を構成する背面パネル６を備える。背面パネル６は、室外機１００の内部に空気を取り込む空気吸込口６ａが設けられている。室外機１００の前面パネル１には、外部に空気を排気する開口部１ａが設けられている。開口部１ａは、前面側を筐体１０の外側からファンガード５により覆われている。なお、室外機１００の筐体１０の構成は上記の構成のみに限られず、適宜変更することができる。前面パネル１などの室外機１００の筐体１０を構成する各パネルは、組み合わせて一体に形成されていても良い。また、各パネルは、さらに複数の別体のパネルにより構成されていても良い。なお、以下の説明において、筐体１０の前面パネル１が配置されている側を「前」、筐体１０において前面パネル１に対向している背面パネル６側を「後」、筐体１０の前面パネル１に向かって左右方向を「左」「右」と呼ぶ。また、筐体１０の天面パネル３側を「上」、筐体１０の天面パネル３に対向する面が位置する側を「下」と呼ぶ。
【００１４】
図３に示されているように、前面パネル１の開口部１ａの内側にファン４が設置されている。ファン４の中央部には、モータ８が取り付けられている。モータ８は、筐体１０の内部に設置されている固定部材７に取り付けられている。ファン４及びモータ８の背面パネル６側には、熱交換器１５が配置されている。背面パネル６の空気吸込口６ａは、熱交換器１５に沿って開口されている。ファン４がモータ８により回転駆動されると、空気吸込口６ａから外気が流入し、筐体１０の背面側から内部に導入される。そして、熱交換器１５によって冷媒と熱変換された空気が、開口部１ａから吹き出される。
【００１５】
＜前面パネル１の構成＞
図２に示されているように、前面パネル１の中央部には、熱交換された空気が吹き出す開口部１ａが設けられている。開口部１ａの周囲は、筐体１０の前面側から見たときに矩形状に凹みが形成されておりファンガード取付部１ｄとなっている。ファンガード５は、ファンガード取付部１ｄのの内側に取り付けられる。開口部１ａの前面パネル１に向かって左右の上部にはファンガード５の仮固定用の上部仮固定穴１ｂが２箇所形成されている。また、開口部１ａの左右の下部には下部仮固定穴１ｃが２箇所形成されている。上部仮固定穴１ｂ及び下部仮固定穴１ｃは、開口部１ａの中心に対し左右対称の位置に形成されている。また、上部仮固定穴１ｂの近傍にはそれぞれボルト穴１ｅが設けられている。ボルト穴１ｅは、開口部１ａを中心として上部仮固定穴１ｂに対し左右の外側に位置している。
【００１６】
図４は、図２のＡ部の拡大図である。図４は、筐体１０の前面パネル１に向かって右上側の上部仮固定穴１ｂの周辺を拡大したものである。なお、筐体１０の前面パネル１に向かって左上側の上部仮固定穴１ｂの周辺は、図４の上部仮固定穴１ｂの周辺の構造を左右対称にしたものに相当する。上部仮固定穴１ｂは、前面パネル１の表面１ｈに対し垂直方向、つまり、筐体１０の前方を向いて開口されている。上部仮固定穴１ｂの縁部１ｇは、曲面１ｆが形成されており、前面パネル１の表面１ｈと滑らかに接続している。また、上部仮固定穴１ｂの縁部１ｇには筐体１０の前面から内部に向かって立設している筒部１ｋが設けられている。実施の形態１においては、前面パネル１は、例えば板金を塑性変形させて形成されている。前面パネル１に設けられている上部仮固定穴１ｂは、例えばバーリング加工により成形されるものである。
【００１７】
上部仮固定穴１ｂの右下にはボルト穴１ｅが設けられている。ボルト穴１ｅも筐体１０の前方を向いて開口されている。また、ボルト穴１ｅの周囲を囲むように突出部１ｍが形成されている。突出部１ｍは、前面パネル１の表面１ｈを例えばプレス成形により突出させている。
【００１８】
図５は、図２のＢ部の拡大図である。図５は、筐体１０の前面パネル１に向かって右下側の下部仮固定穴１ｃの周辺を拡大したものである。なお、筐体１０の前面パネル１に向かって左下側の下部仮固定穴１ｃの周辺は、図５の下部仮固定穴１ｃの周辺を左右対称にしたものに相当する。下部仮固定穴１ｃは、前面パネルの表面１ｈに設けられた筐体１０の上下方向に長い溝１ｎの下側の端部を開口して形成されている。このように形成されることにより、下部仮固定穴１ｃの下側に位置する下側縁部１ｐが、上側に位置する上側縁部１ｑよりも前方に位置している。つまり、下側縁部１ｐは、上側縁部１ｑよりも筐体１０の前側に位置し、上側縁部１ｑは、下側縁部１ｐよりも筐体１０の内部側、すなわち後側に位置する。従って、下部仮固定穴１ｃは、筐体１０の上方向に向いて開口されている穴になっている。
【００１９】
＜ファンガード５の構成＞
図６は、図１のファンガード５を示す斜視図である。図６に示されるように、ファンガード５は、横桟５ａと縦桟５ｂとを組み合わせて構成されている。横桟５ａ及び縦桟５ｂは、例えばワイヤー部材から構成されている。横桟５ａは、筐体１０の上下方向に所定の間隔を持って複数配置されており、それぞれが筐体１０の左右方向に延びるように設けられた桟である。縦桟５ｂは、筐体１０の左右方向に所定の間隔を持って複数配置されており、それぞれが筐体１０の上下方向に延びるように設けられた桟である。つまり、横桟５ａと縦桟５ｂとは、互いに直角方向に交差して設けられている。ファンガード５は、第１縦桟５ｂ１及び第２縦桟５ｂ２を備える。第１縦桟５ｂ１は、筐体１０の左右方向に離れて２箇所に配置されている。第１縦桟５ｂ１の上側端部５ｂ９が筐体１０側に屈曲され、上部係止部５ｂ４を形成している。ファンガード５が前面パネル１に取付けられた状態で、上部係止部５ｂ４は、前面パネル１の上部仮固定穴１ｂに挿入される。
【００２０】
第２縦桟５ｂ２も、筐体１０の左右方向に離れて２箇所に配置されている。第２縦桟５ｂ２の上側端部５ｂ９は、筐体１０側に屈曲されている。第２縦桟５ｂ２の上側端部５ｂ９の先端部は、ワイヤ部材を円形状に曲げられて、ボルト挿通部５ｂ６が形成されている。ボルト挿通部５ｂ６は、筐体１０の前後方向にボルトを通すことができるように、筐体１０の前後方向に開口した穴が形成されている。
【００２１】
また、第２縦桟５ｂ２は、下側端部５ｂ７が筐体１０側に屈曲され、さらにその先端側部分である下部係止部先端部５ｂ１０が下方向に屈曲され下部係止部５ｂ５が形成されている。ファンガード５が前面パネル１に取付けられた状態で、下部係止部５ｂ５は、前面パネル１の下部仮固定穴１ｃに挿入される。なお、第２縦桟５ｂ２に、ボルト挿通部５ｂ６及び下部係止部５ｂ５が形成されているが、ボルト挿通部５ｂ６と下部係止部５ｂ５とはそれぞれ異なる縦桟５ｂに形成されていても良い。
【００２２】
また、ファンガード５は、第３縦桟５ｂ３を備える。第３縦桟５ｂ３は、筐体１０の左右方向に離れて２箇所に配置されている。ただし、第３縦桟５ｂ３は、第１縦桟５ｂ１及び第２縦桟５ｂ２よりも中央寄り、つまりファン４の中心寄りに配置されている。第３縦桟５ｂ３の上側端部５ｂ９及び下側端部５ｂ７は、筐体１０側に屈曲され、その先端が筐体１０の前面パネル１の表面１ｈに略垂直になるように向けられている。第３縦桟５ｂ３の上側端部５ｂ９及び下側端部５ｂ７の先端は、前面パネル１の表面１ｈに当接する当接部５ｂ８となっている。
【００２３】
なお、横桟５a及び縦桟５ｂの具体的な数は、図示の数に限定されるものではない。また、第１縦桟５ｂ１、第２縦桟５ｂ２、及び第３縦桟５ｂ３の位置も図示の位置に限定されるものではない。第１縦桟５ｂ１は、２箇所に限定されず、筐体１０の左右方向の中央部の１箇所でも、又は３箇所以上に配置されていても良い。第２縦桟５ｂ２も、２箇所に限定されず、３箇所以上に配置されていても良い。第３縦桟５ｂ３も、２箇所に限定されず、中央の１箇所又は３箇所以上に配置されていても良い。ただし、第１縦桟５ｂ１、第２縦桟５ｂ２、及び第３縦桟５ｂ３とも、ファンガード５の中央に対し左右方向に均等に配置されるのが望ましい。また、ファンガード５は金属ワイヤーでなく樹脂で構成してもよい。
【００２４】
図７は、本発明の実施の形態１に係る室外機１００のファンガード５の下部係止部５ｂ５周辺の拡大図である。図８は、図７のＣ−Ｃ断面を示す説明図である。Ｃ−Ｃ断面は、筐体１０を前後方向に切った断面であり、下部仮固定穴１ｃの中央を通る断面である。ファンガード５が前面パネル１に固定された状態においては、下部係止部５ｂ５の先端側の部分である下部係止部先端部５ｂ１０は、筐体１０の内部側に位置し、前面パネル１の表面１ｈに略平行にして先端が下方を向いている。また、下部係止部先端部５ｂ１０は、下部仮固定穴１ｃの筐体１０において下側に位置する下側縁部１ｐよりも後方に位置し、筐体１０において上側に位置する上側縁部１ｑよりも前方に位置している。このような構造により、下部係止部先端部５ｂ１０は、下側縁部１ｐに当接して、ファンガード５が筐体１０の前方へ移動するのを規制している。また、図８において点線で示されている部分は、図８において第２縦桟５ｂ２よりも奥側に位置する第３縦桟５ｂ３を示したもので、第３縦桟５ｂ３の下側端部５ｂ７の先端の当接部５ｂ８を示している。当接部５ｂ８は、前面パネル１の表面１ｈに当接しており、ファンガード５が筐体１０の後方へ移動するのを規制している。つまり、下部係止部先端部５ｂ１０と当接部５ｂ８とが前面パネル１と当接し、ファンガード５の筐体１０の前後方向への動きを規制している。
【００２５】
また、下部係止部５ｂ５の前面パネル１の表面１ｈに対して垂直方向に曲げられた水平部５ｂ１１は、下部仮固定穴１ｃの下側縁部１ｐの上方に位置し、下側縁部１ｐと当接することによりファンガード５の下方向への移動を規制している。
【００２６】
図９は、本発明の実施の形態１に係る室外機１００のファンガード５の上部係止部５ｂ４周辺の拡大図である。図１０は、図９のＤ−Ｄ断面を示す説明図である。Ｄ−Ｄ断面は、筐体１０を前後方向に切った断面であり、上部仮固定穴１ｂの中央を通る断面である。図１０に示されているように、ファンガード５が前面パネル１に固定された状態においては、上部係止部５ｂ４の先端５ｂ１２は、筐体１０の内部に位置し、斜め下方向を向いている。そして、先端５ｂ１２は、上部仮固定穴１ｂの下端と同じ高さ又は下方に位置し、ファンガード５が上部仮固定穴１ｂから抜け出そうとする方向に動いたときに上部仮固定穴１ｂの筒部１ｋの筐体１０の内部側の端部に引っ掛かるように構成されている。この構造により、筐体１０にボルト固定される前の仮固定状態において、ファンガード５が筐体１０の前方へ移動するのを規制している。
【００２７】
また、図９に示されているように、ファンガード５は、第２縦桟５ｂ２に設けられたボルト挿通部５ｂ６にボルト９が挿通され、前面パネル１にボルト９を螺合させて締結される。ファンガード５は、ボルト９により締結されて、筐体１０の前後方向の動きが規制される。ボルト挿通部５ｂ６は、前面パネル１の表面１ｈに突出している突出部１ｍに囲まれて配置され、ボルト穴１ｅとの上下左右方向の位置決めがされる。
【００２８】
また、図１０に示されている第３縦桟５ｂ３は、第１縦桟５ｂ１の奥側に位置している。第３縦桟５ｂ３の上側端部５ｂ９の先端の当接部５ｂ８は前面パネル１の表面１ｈに当接している。当接部５ｂ８は、ファンガード５がボルト固定された状態において、ボルト固定位置から離れた箇所で前面パネル１の表面１ｈと当接し、室外機１００の運転時においてファンガード５が振動するのを抑制する働きがある。
【００２９】
＜ファンガード５の取付手順＞
ファンガード５は、上部係止部５ｂ４を上、下部係止部５ｂ５を下にした状態で、まず下部係止部５ｂ５を下部仮固定穴１ｃに挿入する。この時、ファンガード５は、上側端部５ｂ９を筐体１０の前方に倒し傾けた状態で下部係止部５ｂ５の下部係止部先端部５ｂ１０を筐体１０の下部仮固定穴１ｃに向けて差し込まれる。下部係止部先端部５ｂ１０が下部仮固定穴１ｃの内部に挿入されたら、下部係止部５ｂ５を支点として、筐体１０の前方に傾けていたファンガード５の上側端部５ｂ９を筐体１０の前面パネル１側に近づけていく。下部係止部５ｂ５が下部仮固定穴１ｃの下側縁部１ｐにより前後方向及び下方向の移動を規制されるため、上部係止部５ｂ４を上部仮固定穴１ｂに近接させていくと、上部係止部５ｂ４は自然に上部仮固定穴１ｂと位置が合う。上部係止部５ｂ４の先端５ｂ１２は、仮固定された状態において上部仮固定穴１ｂの下端と同じ高さ又は下方に位置するため、ファンガード５を前面パネル１側に押し込むと、上部係止部５ｂ４は、上部仮固定穴１ｂの下側の縁部１ｇに当接しながら上部仮固定穴１ｂの内部に挿入される。
【００３０】
図１０においては、上部係止部５ｂ４の先端５ｂ１２は、平坦に示されているが、実際には先端５ｂ１２の端面のエッジは丸みを持たせて構成しても良い。ファンガード５は、横桟５ａ及び縦桟５ｂを構成する線材が塗装されている。例えば、ポリプロピレンなどの塗装用材料の粉末を静電気によりファンガード５の全体の表面に付着させ、高温で熱することによりポリプロピレンの粉末が溶融し、ファンガード５の全体の表面に固着する。これにより、上部係止部５ｂ４の先端５ｂ１２を含むファンガード５の全体がポリプロピレンなどの塗装用材料により覆われる。先端５ｂ１２は、溶融した塗装用材料によって、端部のエッジが丸みを持って覆われる。このように構成されることにより、上部係止部５ｂ４が上部仮固定穴１ｂに挿入される際に、先端５ｂ１２が当接する前面パネル１の表面１ｈ、縁部１ｇ、筒部１ｋに傷つけることを防止できる。また、前面パネル１の塗装を剥離させたりすることがないため、塗装が剥離した部分から錆が発生することを防止することができる。
【００３１】
また、図１０に示されているように、上部仮固定穴１ｂの縁部１ｇは、曲面１ｆにより構成されている。よって、ファンガード５の上部係止部５ｂ４の先端５ｂ１２を縁部１ｇの曲面１ｆに沿って挿入させることができるため、挿入が容易となり、ファンガード５の仮固定作業が容易になる。また、上部仮固定穴１ｂの縁部１ｇには筐体１０の内部側に向かって筒部１ｋが立設されているため、平板に穴を打ち抜いた形状の場合と比較して上部仮固定穴１ｂの周辺の強度が高い。これにより、ファンガード５の上部係止部５ｂ４の先端５ｂ１２を上部仮固定穴１ｂに挿入する際に、上部仮固定穴１ｂの周辺が変形することがない。また、上部仮固定穴１ｂの周辺の剛性が高いため、ファンガード５側が弾性変形し易く、撓ませやすくなるため、上部係止部５ｂ４が挿入しやすくなるという利点もある。
【００３２】
ファンガード５の上部係止部５ｂ４が上部仮固定穴１ｂに挿入されると、ファンガード５は、上部係止部５ｂ４が上部仮固定穴１ｂに引っ掛かり、筐体１０の前方に倒れることがない。よって、ファンガード５は、作業者が手などで保持していなくても、前面パネル１に組み付けられた状態を保持することができる。ファンガード５は、仮固定状態でボルト挿通部５ｂ６にボルト９が挿通され、前面パネル１に設けられているボルト穴１ｅにボルト９を締結することにより、前面パネル１に固定される。なお、ファンガード５の固定は、上記のようなボルト固定に限定されない。例えばファンガード５と前面パネル１をカシメ等により固定しても良い。
【００３３】
なお、ファンガード５の仮固定穴は、上下を逆転させて設置させることもできる。その場合、ファンガード５も上下を逆転させて筐体１０に組み付ける。例えば、室外機１００が大きく、上部に設置されているボルト穴１ｅが高い位置にあり作業者がボルト９の締結作業がしにくくなる様な場合に、上下を逆転させた構造を採用すると有効である。
【００３４】
＜実施の形態の効果＞
【００３５】
（１）実施の形態１に係る空気調和装置の室外機１００によれば、前面パネル１に風路の開口部１ａが形成された筐体１０と、複数の縦桟５ｂ及び複数の横桟５ａを組み合わせて構成され、開口部１ａを覆うファンガード５と、を備える。ファンガード５は、縦桟５ｂのうち中央の一箇所、又は少なくとも筐体１０の左右方向に離れて位置する２本の第１縦桟５ｂ１の上側端部５ｂ９に形成された上部係止部５ｂ４と、筐体１０の左右方向に離れて位置する複数の第２縦桟５ｂ２の下側端部５ｂ７に形成された下部係止部５ｂ５と、を備える。上部係止部５ｂ４は、上側端部５ｂ９が筐体１０側に屈曲され下方向に傾斜して形成される。下部係止部５ｂ５は、下側端部５ｂ７が筐体１０側に屈曲されて形成され、下部係止部５ｂ５の先端側の部分である下部係止部先端部５ｂ１０は、先端が下方向を向くように屈曲される。前面パネル１は、上部係止部５ｂ４挿入され、ファンガード５の前方向への移動を規制する上部仮固定穴１ｂと、下部係止部５ｂ５が挿入され、ファンガード５の前方向及び下方向への移動を規制する下部仮固定穴１ｃと、を備える。
このように構成されることにより、空気調和装置の室外機１００は、組立時に前面パネル１にファンガード５を仮固定することができる。また、下部係止部５ｂ５を下部仮固定穴１ｃに対し斜め上方から差し込むことができるため、下部係止部５ｂ５を下部仮固定穴１ｃに差し込む際に、上方から下部仮固定穴１ｃを視認しながら作業ができ、差し込みが容易である。そして、下部係止部５ｂ５が下部仮固定穴１ｃにより前方向及び下方向の移動が規制されるため、ファンガード５は、下部係止部５ｂ５を支点にして筐体１０の前方から後方に向かって回転させて組み付けられ、上部仮固定穴１ｂに対する上部係止部５ｂ４の位置も決まりやすい。よって、上部係止部５ｂ４を上部仮固定穴１ｂに挿入させやすくなり、ファンガード５の組立作業が容易になる。
【００３６】
（２）実施の形態１に係る空気調和装置の室外機１００によれば、上部仮固定穴１ｂは、筐体１０の前方を向いて開口されている。
このように構成されることにより、空気調和装置の室外機１００は、上部係止部５ｂ４を上部仮固定穴１ｂに対し押し込むだけで、容易にファンガード５の上側端部５ｂ９を前面パネル１に仮固定することができる。
【００３７】
（３）実施の形態１に係る空気調和装置の室外機１００によれば、上部仮固定穴１ｂは、縁部１ｇに筐体１０の前面から筐体１０の内部に向かって立設する筒部１ｋを有する。
このように構成されることにより、上部仮固定穴１ｂの周辺の強度及び剛性が高くなり、上部係止部５ｂ４を上部仮固定穴１ｂに挿入する際に、上部仮固定穴１ｂを変形させるのを抑制できる。また、上部仮固定穴１ｂの周辺の剛性が高いことにより、上部係止部５ｂ４が上部仮固定穴１ｂの周辺に当接した際にファンガード５の上部係止部５ｂ４の周辺が撓みやすく、上部係止部５ｂ４が上部仮固定穴１ｂ内に挿入させやすくなる。
【００３８】
（４）実施の形態１に係る空気調和装置の室外機１００によれば、上部仮固定穴１ｂは、前面パネル１の表面１ｈから筒部１ｋを接続する曲面を有する。
このように構成されることにより、上部仮固定穴１ｂに上部係止部５ｂ４を挿入させる際に、上部係止部５ｂ４の先端５ｂ１２が曲面に沿って挿入されるため、挿入に必要な力を低減させることができ、ファンガード５の仮固定作業が容易になる。
【００３９】
（５）実施の形態１に係る空気調和装置の室外機１００によれば、下部仮固定穴１ｃは、上方に向かって開口されている。
（６）実施の形態１に係る空気調和装置の室外機１００によれば、下部仮固定穴１ｃは、前面パネル１において、下側に位置する下側縁部１ｐが上側に位置する上側縁部１ｑよりも筐体１０の前面側にある。
上記（５）〜（６）のように構成されることにより、空気調和装置の室外機１００は、下部仮固定穴１ｃは、開口の縁部が筐体１０の前後方向に延在し、開口が上方を向いている。よって、ファンガード５の下部係止部５ｂ５を下部仮固定穴１ｃに対し上方から挿入させることができるため、筐体１０の上方から下部仮固定穴１ｃを視認しながら作業することができ、作業が容易になる。
【００４０】
（７）実施の形態１に係る空気調和装置の室外機１００によれば、ファンガード５は、上部に固定するためのボルト９を挿通するボルト挿通部５ｂ６を有する。前面パネル１は、ボルト９が螺合するボルト穴１ｅを有する。
このように構成されることにより、ファンガード５を前面パネル１に仮固定した後に、ボルト９を締結する作業が可能となる。ボルト９は、筐体１０の上部に位置するため、作業者が身をかがめることなく締結作業を実施できる。
【００４１】
（８）実施の形態１に係る空気調和装置の室外機１００によれば、下部係止部５ｂ５が形成されていない第３縦桟５ｂ３の下側端部５ｂ７に、前面パネル１の表面１ｈに当接する当接部５ｂ８を備える。下部係止部先端部５ｂ１０は、下部仮固定穴１ｃの筐体１０の前方側の部分に当接し、当接部５ｂ８との間で対向する力をファンガード５に付与する。
このように構成されることにより、ファンガード５の下部は、ボルト９により固定されていないが、前後方向の移動が規制されるため、室外機１００の運転時において、前面パネル１に対する前後方向の相対的な移動が規制されるため、振動による騒音の発生を防止することができる。また、騒音の発生を防止できるファンガード５の下部の拘束を実現しつつ、組立作業の際のファンガード５の筐体１０への仮固定を容易に行うことができる。
【００４２】
（９）実施の形態１に係る空気調和装置の室外機１００によれば、ファンガード５は、表面に被膜が形成され、上部係止部５ｂ４の先端５ｂ１２は、被膜に覆われて曲面が形成されている。
このように構成されることにより、上部係止部５ｂ４を上部仮固定穴１ｂに挿入する際に上部係止部５ｂ４の先端５ｂ１２が前面パネル１の表面１ｈを傷つけることを防止できる。これにより、前面パネル１の塗装被膜が剥離することを防止できるため、室外機１００の使用時に前面パネル１の錆が発生するのを抑制し、前面パネル１の耐久性を損なうことがない。
【符号の説明】
【００４３】
１  前面パネル、１ａ  開口部、１ｂ  上部仮固定穴、１ｃ  下部仮固定穴、１ｄ  ファンガード取付部、１ｅ  ボルト穴、１ｆ  曲面、１ｇ  縁部、１ｈ  表面、１ｋ  筒部、１ｍ  突出部、１ｎ  溝、１ｐ  下側縁部、１ｑ  上側縁部、２  側面パネル、３  天面パネル、４  ファン、５  ファンガード、５a  横桟、５ａ  横桟、５ｂ  縦桟、５ｂ１  第１縦桟、５ｂ１０  下部係止部先端部、５ｂ１１  水平部、５ｂ１２  先端、５ｂ２  第２縦桟、５ｂ３  第３縦桟、５ｂ４  上部係止部、５ｂ５  下部係止部、５ｂ６  ボルト挿通部、５ｂ７  下側端部、５ｂ８  当接部、５ｂ９  上側端部、６  背面パネル、６ａ  空気吸込口、７  固定部材、８  モータ、９  ボルト、１０  筐体、１５  熱交換器、１００  室外機。
【図１】
0006656394.tif 000002
【図２】
0006656394.tif 000003
【図３】
0006656394.tif 000004
【図４】
0006656394.tif 000005
【図５】
0006656394.tif 000006
【図６】
0006656394.tif 000007
【図７】
0006656394.tif 000008
【図８】
0006656394.tif 000009
【図９】
0006656394.tif 000010
【図１０】
0006656394.tif 000011